(57)【特許請求の範囲】
【請求項１】
底面で構築物へ水平に引止められた円筒形ケーシングと、ケーシングの中心線上を進退可能で外端はトロリ線へ接続され内端はコイルばねを介してケーシング底面側に引止められるロッドとから成る張力バランサに附設され、ケーシングの外周面に軸線方向で附設したガイド部材と、ガイド部材に沿って標示した長さ目盛尺と、上記ロットの先端附近に固着して外周方向に突設され先端にケーシング中心の円弧溝を穿ったレバーと、前記ガイド部材に摺動自在であり長さ目盛尺に沿って重なるように係合され端部をレバーの円弧溝に軸線方向移動を拘束され円弧溝に沿って相対移動可能に係止されたスライドとから構成され、スライダの先端が指針となって目盛尺の目盛を示し電車線の移動量を読取可能とした張力バランサの長さ変化読取装置。
【発明の詳細な説明】
【０００１】
【発明の属する技術分野】
本発明はトロリ線の引止に用いる張力バランサに関するもので、気温変化に伴うトロリ線長さ変化の計数的読取を容易にすることを目的とする。
【０００２】
【従来の技術】
トロリ線引止にばねを用いて張力の平準化を計ることは公知である。（例えば実公昭６０−８５０４）またこのばね式張力バランサでトロリ線の伸縮変化を読取る装置も特開平９−３３２０１で公知である。そこに示されたばね式張力バランサは円筒形ケーシングとロッドとから成る。このロッドは外端にトロリ線が接続され、内端はコイルばねを介してケーシング底面側に引止められている。
また同引例ではトロリ線長さ変化の読取のため、同引例の図１に於いてロッド端部に、回動は自在だが軸線方向移動は拘束されたＬ形目盛板（８）を装着し、ケーシング１に固着した目盛板ガイド（１４）位置で、目盛板の数字を読むとしている。ところでトロリ線は温度変化によって長さ変化と同時に電車線の撚り線構造にも変化を起こすもので、それによってロッド（４）は回動するが、上記公知例はＬ形目盛板（８）をロッド（４）へ回転自在に支持することによって、目盛板が重力で垂れ下がり、常に読取可能なガイド（１４）のそばにあるようにしている。
【０００３】
【発明が解決しようとする課題】
前記の従来技術の読取装置では、目盛板（８）の数字をガイド（１４）基準に読取るのは容易でない。読取り作業者が張力バランサの真下から読み取りすることを前提に、目盛板を常に下向きになるようにしているが、もともと張力バランサは、線路側方の電柱や他の構造物に取り付けてあり、場所によっては足場が悪いなどで、立入り不可能であったり、測定作業の効率化や安全面から作業車両の作業台から読み取ることが多く、目盛り板の読取り向きを自由に設定できることが望ましい。また、張力バランサは高所にあるので、目盛りの読み取りには双眼鏡を利用することが多い。引例の目盛板ではその幅との関係で数字の大きさも限定され、特に高架軌道の場合は下方隣接公道からの読取となると、双眼鏡利用でも、ガイドとの交点での目盛の読取に難渋する。また上記引例のＬ形目盛板（８）は、ロッド（４）と回転自在であるものの、多少の摩擦で回動しようとするが、ガイド（１４）によってそれを阻止される。しかしＬ形目盛板は、長さが１ｍ以上と長尺のためガイドを基点に水平方向に振られ読みとり困難になる。Ｌ形目盛板とロッドとの係合構造は精度を要求され複雑になる。これらの何らかの解決を強く要望されている。
【０００４】
【課題を解決するための手段】
ケーシング１の外周面軸線方向に、ガイド部材を位置選択可能に付設し、そのガイド部材（凸状レール）９に沿って長さ目盛尺９ａを設ける。従来の目盛板（８）は前記ガイド部材に摺動自在に係合させて目盛なしの単なるスライダ８とし、これをロッドに固定して外周方向に突設したレバーへ、軸線方向に拘束され同レバー７端部に穿った円弧溝７ａに沿って相対移動可能に係止させ、ロッド上定点の移動に伴うケーシング上の対応位置を示すものとする。
【０００５】
【発明の実施の形態】
二重構造のコイルばねを有する張力バランサに例をとり図について説明する。ケーシング１は円筒形で表側に内向鍔１ａ、反対側に底ふた１ｂを備え、底ふたによって柱Ｐへ引止められる。ロッド２はケーシング１の中心線上を進退可能で、外端部へはワイヤＷを介してトロリ線および吊架線（いずれも図示せず）を接続させ、内端部には外向鍔２ａを備える。中筒３はケーシング１とロッド２の間へ挿入され両端に内向鍔３ａと外向鍔３ｂを備える。コイルばね４はロッド２と中筒３の間へ挿入され、両端は２つの鍔２ａ，３ａで支持される。コイルばね５はケーシング１と中筒３の間へ挿入され、両端は２つの鍔１ａ，３ｂに支持される。
以上のように構成される張力バランサに於いて、ケーシングの外周面にガイド部材の凸条レール９が幅広面を外方に向けて固設され、その幅広面には目盛尺９ａを貼付される。図１は凸状レールをケーシング１の下面に設けた場合である。ロッド２の外端部附近にはレバー７が下方に向けて固着される。このレバー７の固着手段は、図示しないが、現場での取り付けを考慮し、レバーとロッドにそれぞれ対向するフランジを設け、フランジに穿った複数のボルト孔を選択して合わせ、対向角を自由に設定してボルト結合可能に構成してもよい。スライダ８は一端に長手方向の溝を備え、その溝の両側縁が内側に折曲して前記凸条レールに摺動自在に嵌合され、レール９上の目盛尺９ａに沿って重なるように移動可能である。レバー７の先端には、ケース中心で円弧状の貫通孔７ａが穿ってある。スライダ８は一端をその円弧孔に貫通させて先端曲がり部８ａとレバー７を境に反対側のボルト８ｃにより、レバーに対し、軸線方向の移動を拘束しかつレバーの円弧孔に沿って相対回動可能に係止してある。電車線の伸縮によりロッド２がケーシング１内を出入動すると、レバーを介してスライダ８も同じように目盛尺９ａに沿って移動する。スライダ８の先端部８ｂが指針となって目盛尺９ａの目盛を示し、電車線の移動量を読取ることができる。
凸状レール９は、読取り作業者の読取り方向（角度）に合わせてケーシング外周面に取り付けられるので、レール上の目盛尺を容易に読み取ることができる。
【０００６】
【発明の効果】
目盛尺９ａを添設したレール９がケーシング１の外周面上に任意位置で設けられ、それに重なって移動するようにスライダ８を構成したので、作業車の作業台による読取り作業のように、張力バランサを横方の高い位置から読取りする場合でも、作業者が容易に目盛を読み取ることができる。また目盛尺をケーシング上に設けたので、その設計及び文字の大きさの選定についての自由度が一挙に拡大し、読み取り易さを重視した張力バランサが作れるようになった。しかもスライダがスライダ先端部８ｂを指針にして目盛尺に重なるように移動するので、読み取り距離のある位置からでも明確に読み取り可能になった。図３に一例を示す。
【図面の簡単な説明】
【図１】本発明の正面図である。
【図２】レバー付近の拡大正面図である。
【図３】ケーシングの一部腹面図である。
【図４】レバー付近の拡大側面図である。
【図５】凸状レールおよびスライダの一部断面拡大図である。
【符号の説明】
１        ケーシング
１ｃ      目盛尺
２        ロッド
３        中筒
４，５    コイルばね
６        軸受
７        レバー
７ａ      円弧溝
８        スライダ
８ａ      曲がり部
８ｂ      先端部
８ｃ      ボルト
９        凸状レール
９ａ      目盛尺
ｗ        ワイヤ
【図１】
0003717094.tif 000002
【図２】
0003717094.tif 000003
【図３】
0003717094.tif 000004
【図４】
0003717094.tif 000005
【図５】
0003717094.tif 000006